(57)【特許請求の範囲】
【請求項１】
コンピュータ制御テレビの初期設定時にテレビチャネルをコンピュータが走査する方法であって、
前記コンピュータが、前記テレビがフルパワーモードにあるときの第１の電力モード時に、ユーザが前記テレビを使用できない間の第１の走査設定手順を使用してチャネルを自動的に走査するステップと、
前記コンピュータが、前記第１の走査設定手順が完了次第、検出したチャネルを前記テレビで使用できるように自動的に提供するステップと、
前記コンピュータが、前記第１の電力モードよりも低い電力モードにある第２の電力モード時に、前記第１の走査設定手順よりも包括的な第２の走査設定手順を使用してチャネルを自動的に走査するステップと、
を含むことを特徴とする方法。
【請求項２】
前記第２の走査設定手順を使用してチャネルを自動的に走査する前記ステップが、前記初期設定中に前記第１の走査設定手順によって検出されなかった追加チャネルを自動的に検出するステップをさらに含む、
ことを特徴とする請求項１に記載の方法。
【請求項３】
前記追加チャネルを検出する前記ステップに応答して、前記テレビが前記第１の電力モードにあるときに、前記コンピュータが前記追加チャネルを前記テレビで使用できるように自動的に提供するステップをさらに含む、
ことを特徴とする請求項２に記載の方法。
【請求項４】
前記追加チャネルを検出する前記ステップに応答して、前記コンピュータが前記追加チャネルが検出されたことを前記第１の電力モード時に前記ユーザに自動的に指示するステップをさらに含む、ことを特徴とする請求項２に記載の方法。
【請求項５】
前記第２の走査設定手順を使用してチャネルを自動的に走査する前記ステップの後に、前記第２の電力モード時に前記コンピュータが前記第２の走査設定手順を使用してチャネルを自動的かつ定期的に走査するステップをさらに含む、
ことを特徴とする請求項１に記載の方法。
【請求項６】
前記第２の走査設定手順のチャネルを発見するためのタイムアウトパラメータが、前記第１の走査設定手順のものよりも長い、
ことを特徴とする請求項１に記載の方法。
【請求項７】
前記第１の走査設定手順が、残りのチャネルを検出するときに、最初に検出されたチャネルを発見するために使用した搬送波基準及び変調基準を使用することに限定される、
ことを特徴とする請求項１に記載の方法。
【請求項８】
コンピュータ制御テレビの初期設定時にテレビチャネルを走査するための方法を前記コンピュータによる命令の実行時に実施する命令を有するコンピュータ可読記録媒体であって、前記方法が、前記コンピュータによる命令の実行時に、
前記テレビがフルパワーモードにあるときの第１の電力モード時に、ユーザが前記テレビを使用できない間の第１の走査設定手順を使用してチャネルを自動的に走査するステップと、
前記第１の走査設定手順が完了次第、検出したチャネルを前記テレビで使用できるように自動的に提供するステップと、
前記第１の電力モードよりも低い電力モードにある第２の電力モード時に、前記第１の走査設定手順よりも包括的な第２の走査設定手順を使用してチャネルを自動的に走査するステップと、
を実行するための命令を含むことを特徴とするコンピュータ可読記録媒体。
【請求項９】
前記第２の走査設定手順を使用してチャネルを自動的に走査する前記ステップが、前記初期設定中に前記第１の走査設定手順によって検出されなかった追加チャネルを自動的に検出するステップをさらに含む、
ことを特徴とする請求項８に記載のコンピュータ可読記録媒体。
【請求項１０】
前記方法が、前記追加チャネルを検出する前記ステップに応答して、前記テレビが前記第１の電力モードにあるときに、前記コンピュータによって前記追加チャネルを前記テレビで使用できるように自動的に提供するステップをさらに含む、
ことを特徴とする請求項９に記載のコンピュータ可読記録媒体。
【請求項１１】
前記方法が、前記追加チャネルを検出する前記ステップに応答して、前記コンピュータによって前記追加チャネルが検出されたことを前記第１の電力モード時に前記ユーザに自動的に指示するステップをさらに含む、
ことを特徴とする請求項９に記載のコンピュータ可読記録媒体。
【請求項１２】
前記方法が、前記第２の走査設定手順を使用してチャネルを自動的に走査する前記ステップの後に、前記第２の電力モード時に前記コンピュータによって前記第２の走査設定手順を使用してチャネルを自動的かつ定期的に走査するステップをさらに含む、
ことを特徴とする請求項８に記載のコンピュータ可読記録媒体。
【請求項１３】
前記第２の走査設定手順のチャネルを発見するためのタイムアウトパラメータが、前記第１の走査設定手順のものよりも長い、
ことを特徴とする請求項８に記載のコンピュータ可読記録媒体。
【請求項１４】
前記第１の走査設定手順が、残りのチャネルを検出するときに、最初に検出されたチャネルを発見するために使用した搬送波基準及び変調基準を使用することに限定される、
ことを特徴とする請求項８に記載のコンピュータ可読記録媒体。
【請求項１５】
テレビであって、
前記テレビの電力モードを自動的に検出する電力検出器と、
ユーザが前記テレビを使用できない間の第１の走査設定手順を使用して、第１の電力モード時にチャネルを自動的に走査するための第１の走査要素と、
前記第１の走査設定手順の結果検出されたチャネルを前記ユーザが使用できるように自動的に提供する、データを処理するためのプロセッサと、
前記第１の走査設定手順の結果検出されたチャネル以外のチャネルを検出する第２の走査設定手順を使用して第２の電力モード時にチャネルを自動的に走査するための、前記第１の走査設定手順よりも長期にわたるとともに包括的な第２の走査要素と、
画像を表示するためのディスプレイと、
を備えることを特徴とするテレビ。
【請求項１６】
前記第１の走査設定手順の結果検出されたチャネル以外の前記チャネルが、前記第１の電力モード時に前記ユーザに自動的に提供される、
ことを特徴とする請求項１５に記載のテレビ。
【請求項１７】
前記プロセッサが、前記第１の走査設定手順の結果検出されたチャネル以外の前記チャネルが検出されたことを前記第１の電力モード時に前記ユーザに自動的に指示する、
ことを特徴とする請求項１５に記載のテレビ。
【請求項１８】
前記第１の電力モードが、前記テレビがフルパワーモードにあるときのことである、
ことを特徴とする請求項１５に記載のテレビ。
【請求項１９】
前記第２の走査要素が、前記第２の電力モード時に、前記第２の走査設定手順を使用してチャネルを自動的かつ定期的に走査する、
ことを特徴とする請求項１５に記載のテレビ。
【請求項２０】
前記第２の走査設定手順のチャネルを発見するためのタイムアウトパラメータが、前記第１の走査設定手順のものよりも長い、
ことを特徴とする請求項１５に記載のテレビ。
【請求項２１】
前記第１の走査設定手順が、残りのチャネルを検出するときに、最初に検出されたチャネルを発見するために使用した搬送波基準及び変調基準を使用することに限定される、
ことを特徴とする請求項１５に記載のテレビ。
【発明の詳細な説明】
【技術分野】
【０００１】
本発明の実施形態は、電子機器の分野に関する。より具体的には、本発明の実施形態は、テレビチャネルの自動走査に関する。
【背景技術】
【０００２】
一般に、テレビは、最初に使用する前に設定される。例えば、テレビを使用して放送チャネルを表示できるようになる前に、利用可能なチャネルを走査しなければならない。チャネルによっては、走査して検出するのが困難なものもある。多くのケーブルプロバイダ及び選択可能なプロバイダは、多くのチャネル選択を有する。この結果、チャネルの走査に５０分などの長時間を要する場合もある。残念ながら、走査期間中は、テレビを使用して放送チャネルを表示することができない。従って、チャネルの走査にかかる時間が長いほど、ユーザがテレビを利用できない状態が長くなり、これにより新しいテレビ所有者が不便さを感じ、不満を抱くこともある。
【０００３】
一般に、テレビがチャネルの走査を完了した後は、新たな走査を行わない限りチャネルを追加することはできない。上述したように、チャネルの走査には長い時間がかかることがあり、この結果、走査中にテレビを利用できなくなることによりユーザは不便さを感じる。従って、多くのユーザが、新たなチャネルを検出しないままでいることがある。
【０００４】
チャネル走査に必要な時間を短縮するための１つの従来の方法は、高速走査法を使用することである。残念ながら、高速走査法は、全てのチャネルを包括的に走査するわけではなく、このため走査が困難なチャネルの多くが省略される。高速走査を使用した結果検出されてユーザが視聴できるようになるのは放送チャネルのほんの一部でしかなく、ユーザは依然としてその他の放送チャネルを利用することができない。
【発明の概要】
【発明が解決しようとする課題】
【０００５】
従って、検出したチャネルをユーザに直ちに提供する一方で、走査プロセス全体をチャネル検出に関して包括的なものとするための高速チャネル走査を可能にする必要性が生じてきている。さらに、低電力モード、待機中などの、ユーザがテレビを使用していないときに、高速チャネル走査中に検出し損ねたチャネルを検出するための包括的チャネル走査を行う必要性が生じてきている。さらに、新たに追加されたチャネルを検出するための包括的チャネル走査を自動的かつ定期的に行う必要性が生じてきている。当業者には、本発明の詳細な説明に照らして、本発明の実施形態が上述の必要性を補うとともに上述した利点を提供することが明らかになるであろう。
【課題を解決するための手段】
【０００６】
本発明の１つの実施形態によれば、第１の走査設定手順及び第２の走査設定手順が提供される。第１の走査設定手順は、第２の走査設定手順よりも高速である。チャネル走査中に第１の走査設定手順の閾値タイムアウトを減少させることにより、第２の走査設定手順よりも高速で実行することができる。さらに、第１の走査設定手順は、最初に発見したチャネルの変調及び搬送波基準を使用して残りの放送チャネルを検出することができる。従って、第１の走査設定手順は、第２の走査設定手順よりも高速で実行される。なお、第２の走査設定手順は、第１の走査設定手順よりも実行に長い時間を要する一方で、より包括的なチャネル走査を提供し、テレビが待機モードにある間に行うことができる。
【０００７】
より具体的には、第１の走査設定手順は、最初にテレビを設定するときなどの初期設定手順時に自動的に開始することができる。第１の走査設定手順中、ユーザはテレビを利用できなくなる。第１の走査設定手順が短時間で完了すると同時に、ユーザは検出されたチャネルを利用できるようになる。長期にわたる第２の走査設定手順は、テレビが、待機モード、インタラクティブ番組ガイドを収集するいずれかのモード、電力切断モードなどの低電力モードに入ったときに自動的に開始することができる。換言すれば、より包括的なチャネル走査が、ユーザがテレビを使用していないときにバックグラウンドで行われる。
【０００８】
１つの実施形態によれば、定期的に実行される第２の走査設定手順中に追加チャネルを検出することができる。検出される追加チャネルは、第１の走査設定手順中に検出し損ねたチャネルとすることができる。テレビがオンモードなどの完全動作モードに戻ったときに、新たに検出したチャネルの視聴準備が整っていることをユーザに指示することができる。
【０００９】
従って、短時間の第１の走査設定手順は、限られた数の検出チャネルへのアクセスを直ちに提供する。一方で、長期にわたる第２の走査設定手順は、第１の走査設定手順中に検出し損ねたチャネルを検出する。第２の走査設定手順は、テレビを使用していないときに実行される。従って、限られた数のチャネルが直ちに提供される一方で、第２の走査設定手順の完了時には包括的チャネルリストが提供される。
【００１０】
なお、第２の走査設定手順は、ユーザが定めた間隔で自動的に開始して、放送チャネルの一部である新たに追加されたチャネルを検出することができる。同様に、新たなチャネルを検出したことをユーザに指示及び通知することができる。
【００１１】
より具体的には、初期設定時にテレビチャネルを走査する方法を提供する。この方法は、フルパワーモードなどの第１の電力モード時に第１の走査設定手順を使用してチャネルを自動的に走査するステップを含む。第１の走査設定手順中、ユーザはテレビを使用することができない。第１の走査設定手順の完了時に、検出されたチャネルがテレビで使用できるように自動的に提供される。方法は、第１の電力モードに続く第２の電力モード時に、第２の走査設定手順を使用してチャネルを自動的に走査するステップをさらに含む。なお、第２の電力モードは、第１の電力モードよりも低い電力モードであり、第２の走査設定手順は、第１の走査設定手順よりも時間がかかる。
【００１２】
また、第２の走査設定手順のチャネルを発見するためのタイムアウトパラメータは、第１の走査設定手順のものよりも長くすることができる。第１の走査設定手順は、最初に検出されたチャネルを発見するために使用した搬送波及び変調を使用して残りのチャネルを検出することしかできないが、第２の手順はこのように制限されない。従って、第２の走査設定手順は、第１の走査設定手順よりも包括的である。
【００１３】
実施形態は上記のものを含み、方法は、テレビが第２の電力モードにある間に、初期設定中に第１の走査設定手順によって検出されなかった追加チャネルを自動的に検出するステップをさらに含む。方法は、追加チャネルを検出したことに応答して、テレビが第１の電力モードにあるときに、この追加チャネルをテレビで使用できるように自動的に提供するステップをさらに含むことができる。なお、ユーザには、追加チャネルが検出されたことを自動的に指示することができ、この指示は第１の電力モード時に行われる。
【００１４】
１つの実施形態によれば、方法が、第２の走査設定手順を使用してチャネルを自動的に走査するステップの後に、待機電力モード時に第２の走査設定手順を使用してチャネルを自動的かつ定期的に走査するステップをさらに含むことができる。
【００１５】
同様の参照番号が同様の要素を示す添付図面の図中に、本発明の実施形態を限定ではなく一例として示す。
【図面の簡単な説明】
【００１６】
【図１】本発明の１つの実施形態による例示的なチャネル走査方法のフロー図である。
【図２】本発明の１つの実施形態による例示的な高速チャネル走査方法のフロー図である。
【図３】本発明の１つの実施形態による例示的なテレビを示す図である。
【発明を実施するための形態】
【００１７】
ここで、添付図面に例を示す本発明の実施形態について詳細に参照する。本発明をこれらの実施形態とともに説明するが、これらの実施形態は、本発明をこれらの実施形態に限定するためのものではない。むしろ、本発明は、添付の特許請求の範囲によって定められる本発明の思想及び範囲内に含めることができる代替物、修正物、及び同等物も対象とする。さらに、以下の本発明の詳細な説明では、本発明を完全に理解できるようにするために数多くの特定の詳細を示す。しかしながら、当業者には、これらの特定の詳細を伴わずに本発明を実施できることが明らかであろう。その他の場合、本発明の態様を不必要に曖昧にしないように、周知の方法、手順、構成要素、及び回路については詳細に説明していない。
【００１８】
表記及び用語
以下の詳細な説明の一部は、テレビのメモリ上で実施できる手順、ステップ、論理ブロック、処理、及びデータビットに対するその他の記号的動作表現の観点から提示するものである。これらの説明及び表現は、当業者が自らの研究内容を他の当業者に最も効果的に伝えるために使用する手段である。本明細書では、及び一般的には、手順、テレビが実行するステップ、論理ブロック、処理等は、望ましい結果をもたらす首尾一貫した一連のステップであると考えられる。これらのステップは、物理量の物理的操作を必要とする。
【００１９】
必ずしもそうではないが、通常これらの量は、コンピュータシステム内で記憶、転送、合成、比較、及び別様に操作できる電気又は磁気信号の形をとる。主に共通使用という理由から、時にはこれらの信号をビット、値、要素、記号、文字、用語、番号などと呼ぶことが便利であることが分かっている。
【００２０】
しかしながら、これらの及び同様の用語は全て、適当な物理量に関連付けられるべきものであり、またこれらの量に適用される便利な表記に過ぎないことに留意されたい。以下の説明から明らかなように、別途特記しない限り、本発明全体を通じて、「処理する（ｐｒｏｃｅｓｓｉｎｇ）」、「作成する（ｃｒｅａｔｉｎｇ）」、「転送する（ｔｒａｎｓｆｅｒｒｉｎｇ）」、「実行する（ｅｘｅｃｕｔｉｎｇ）」、「決定する（ｄｅｔｅｒｍｉｎｉｎｇ）」、「命令する（ｉｎｓｔｒｕｃｔｉｎｇ）」、「発行する（ｉｓｓｕｉｎｇ）」、「中止する（ｈａｌｔｉｎｇ）」、「消去する（ｃｌｅａｒｉｎｇ）」、「アクセスする（ａｃｃｅｓｓｉｎｇ）」、「集める（ａｇｇｒｅｇａｔｉｎｇ）」、「取得する（ｏｂｔａｉｎｉｎｇ）」、「選択する（ｓｅｌｅｃｔｉｎｇ）」、「計算する（ｃａｌｃｕｌａｔｉｎｇ）」、「測定する（ｍｅａｓｕｒｉｎｇ）」、「問い合わせる（ｑｕｅｒｙｉｎｇ）」、「受け取る（ｒｅｃｅｉｖｉｎｇ）」、「送る（ｓｅｎｄｉｎｇ）」、「提供する（ｐｒｏｖｉｄｉｎｇ）」、「記憶する（ｓｔｏｒｉｎｇ）」、「表示する（ｄｉｓｐｌａｙｉｎｇ）」、「表す（ｒｅｎｄｅｒｉｎｇ）」、「走査する（ｓｃａｎｎｉｎｇ）」、「検出する（ｄｅｔｅｃｔｉｎｇ）」、又は「指示する（ｐｒｏｍｐｔｉｎｇ）」などの用語を利用した説明は、テレビのレジスタ及びメモリ内の物理（電子）量として表されるデータを操作し、テレビのメモリ、レジスタ、又はその他のこのような情報記憶装置、情報伝達装置、又は情報表示装置内の物理量として同様に表される他のデータに変換するテレビ又は同様の電子コンピュータ装置の動作及び処理を意味する。
【００２１】
ここで図１を参照すると、本発明の１つの実施形態による、チャネルを自動的に走査するテレビの例示的なコンピュータ実施方法１００を示している。ステップ１１０において、ユーザがテレビの電源をオンする。初めてテレビを使用できるようになる前に、テレビの設定が必要となり得る。例えば、テレビでは、検出したチャネルをユーザが視聴できるようになる前に放送チャネルを走査することが必要である。従って、ステップ１１２において、テレビがチャネル走査の初期設定などの初回設定を終えているかどうかが判定される。
【００２２】
チャネル走査などの最初の設定が完了していると判定された場合、ステップ１６０において、ユーザが使用できるように検出済みのチャネルが自動的に提供される。なお、テレビがフルパワーモードにある場合、ユーザは、検出済みのチャネルと交信することができる。
【００２３】
一方で、チャネル走査などの最初の設定が完了していない場合には、チャネルが検出されていないので、ステップ１２０において、本発明の実施形態に基づいて、チャネルを設定するためのクイック走査が自動的に実行される。なお、クイック走査は、テレビがフルパワーモードにあるときに実行される。クイック走査とは、チャネルを短時間で検出するための大まかな走査であると考えることができる。例えば、クイック走査は、完了するのに数分、例えば５分しかかからないこともある。
【００２４】
クイック走査の実行が完了した後に、ステップ１３０において、検出されたチャネルがメモリに記憶され、これらをユーザに自動的に提供することができる。なお、検出されたチャネルは、テレビがオンモードなどのフルパワーモードにあるときにユーザに提供することができる。従って、ユーザは、クイック走査が完了した結果検出されたチャネルを、短時間で都合の良いときに使用することができる。
【００２５】
ステップ１４０において、テレビが低電力モードに入ると、長期にわたる包括的フル走査が自動的に実行される。例えば、ユーザがテレビを見終えると、テレビは待機モードなどの低電力モードに入ることができる。換言すれば、フル走査は、テレビが完全動作モード以外の電力モードにあるときに実行される。従って、フル走査は、テレビが使用されていないときにバックグラウンドで実行される。従って、低電力モードでは、ユーザがテレビを使用していないので、フル走査の実行及び完了にどれほどの時間がかかり得るかは全く重要ではない。フル走査では、検出されたチャネルがメモリに追加される。
【００２６】
なお、フル走査は、クイック走査よりも包括的な走査である。一般に、走査は、チャネルを検出するために、様々な変調基準、搬送波基準、及び異なる周波数を通じて行われる。走査は、搬送波基準、変調基準、及び／又は周波数の少なくとも１つに関連するタイムアウトを有することができる。この結果、割り当て時間中にチャネルが検出されなかった場合、走査はタイムアウトとなり、搬送波基準、変調、及び／又は周波数のうちの少なくとも１つを変更する。
【００２７】
搬送波基準、変調、及び周波数によっては検出が困難なものもあり、従って検出に長い閾値時間が必要となる。走査時間を短縮するために、クイック走査中の搬送波基準、変調基準、及び／又は周波数の少なくとも１つに関連するタイムアウトを減少させることができる。クイック走査中の搬送波基準、変調基準、及び／又は周波数の少なくとも１つに関連するタイムアウトを短縮すると、あるチャネルの放送が行われているにも関わらず、そのチャネルを走査中に検出できなくなる可能性がある。しかしながら、クイック走査中のタイムアウトを短縮すると、これらの検出したチャネルをフル走査よりも短い時間でユーザが利用できるようにすることが可能になる。
【００２８】
クイック走査中に検出し損ねたチャネルを検出するために、包括的フル走査を実行することができる。通常、この走査が完了するには４０分以上かかることがある。フル走査は、テレビが低電力モードにあるときにバックグラウンドで実行することができる。この結果、フル走査の実行が完了した後、及びテレビがオンになったときなどの高電力モードに入ったときに、ユーザは、クイック走査で検出し損ねた新たに検出されたチャネルを利用できるようになる。従って、フル走査の実行完了時には、ユーザは、クイック走査中に検出されたチャネルに短時間でアクセスできるだけでなく、包括的なチャネルリストも利用できるようになる。
【００２９】
ステップ１４２において、フル走査の結果新たなチャネルが検出されたかどうかが自動的に判定される。フル走査によって新たなチャネルが検出された場合、任意のステップ１５０において、新たなチャネルが検出されたことを自動的にユーザに指示して通知することができる。なお、ユーザへの指示は、テレビがオンになったときなどの次に高電力モードに入ったときに行われる。ステップ１６０において、テレビがフルパワーモードにある場合、ユーザは、クイック走査及びフル走査の両方の結果検出されたチャネルを利用できるようになり、これらのチャネルが自動的にユーザに提示される。一方で、フル走査により新たなチャネルが発見されなかった場合、ステップ１６０において、テレビがフルパワーモードにあるときに、クイック走査の結果検出されたチャネルが自動的にユーザに提供される。
【００３０】
なお、１つの任意の実施形態では、ステップ１７０において、テレビがオフ状態、待機状態などの低電力モードにあるときに定期的にフル走査が実行される。なお、フル走査を使用した定期的走査の間隔は製造中に設定してもよいし、及び／又はユーザが定義できるようにしてもよい。従って、サービスプロバイダが新たなチャネルを追加して放送する場合、この新たなチャネルを自動的に検出することができる。
【００３１】
次に図２を参照すると、本発明の１つの実施形態によるクイックチャネル走査の例示的なコンピュータ制御方法２００を示している。ステップ２１０において、搬送波基準を使用してチャネルを走査することができる。搬送波基準は、増分関連搬送波（ＩＲＣ）、調和関連搬送波（ＨＲＣ）、標準放送周波数（ＳＴＤ）などを含むことができる。
【００３２】
ステップ２２０において、変調基準を使用してチャネルを走査する。例えば、変調基準は、８残留側帯波変調（８ＶＳＢ）、直交振幅変調６４（ＱＡＭ６４）、ＱＡＭ１２８、ＱＡＭ２５６などを含むことができる。
【００３３】
ステップ２２２において、チャネルが発見されたかどうかをクイック走査により自動的に判定する。これらの搬送波基準及び変調基準でチャネルが発見された場合、ステップ２３０において、残りのチャネルを発見するために、走査中に同じ搬送波基準及び同じ変調基準しか使用しない。換言すれば、クイック走査は、発見した最初のチャネルに基づいて、他の全てのチャネルが同じ変調基準及び同じ搬送波基準を使用していると推測する。従って、走査はこれらの基準に限られる。従って、クイック走査では、残りの搬送波基準及び変調基準を検討する必要がないことにより実行時間が短縮される。
【００３４】
一方で、所与の閾値時間内にチャネルが発見されなかった場合、この特定の搬送波基準及び変調基準を使用したチャネルの走査はタイムアウトとなる。なお、閾値時間の短縮は、より高速で実行する高速走査設定手順とより多くのチャネルの検出との間の妥協である。ステップ２２４において、全ての変調基準を使用したかどうかが判定される。全ての変調基準を使用していない場合、ステップ２４０において変調基準が変更される。この結果、ステップ２２０において、同じ搬送波基準を新たな変調基準とともに使用してチャネルを走査して検出する。
【００３５】
ステップ２２４において、全ての変調基準を使用したと判定された場合、ステップ２５０において、搬送波基準が次の搬送波基準に変更される。この結果、ステップ２１０において、新たな搬送波基準を使用してチャネルを走査して検出する。従って、このチャネルを発見するためのプロセスは、チャネルが発見されるまで繰り返すことができる。
【００３６】
なお、他の実施形態では、発見された最初のチャネルの変調基準及び搬送波基準を使用せずにプロセスを繰り返すことができる。例えば、ステップ２３０を省いて例示的方法２００を繰り返すことができる。このようにして、１０個などの所定数のチャネルを検出することができる。その後、チャネルの残りを検出するために使用すべき搬送波基準及び変調基準を決定するために、検出したチャネルの各々の搬送波基準及び変調に関して統計分析を行うことができる。換言すれば、発見されたいくつかのチャネルの統計分析を使用して、残りのチャネルを検出するために使用すべき適当な変調基準及び適当な搬送波基準を決定することができる。この結果、統計分析により、クイック走査中に最大数のチャネルが検出されるようになる。
【００３７】
なお、１つの実施形態では、所与の搬送波基準及び所与の変調基準でチャネルが発見されなかった場合に走査をタイムアウトにする閾値時間を短縮することにより、高速走査の実行時間をさらに短縮することができる。この結果、クイック走査設定手順の実行を、フル走査設定手順よりも短い時間で完了させることができる。さらに、チャネルへの同調を低減又は削除することにより、クイック走査の実行時間をさらに短縮することができる。さらに、発見されたチャネルが暗号化されているかどうかを判定するための復号を廃止することにより、クイック走査設定手順の実行時間をさらに短縮することができる。
【００３８】
従って、クイック走査及びフル走査を使用することにより、提供されるチャネル数と、これらのチャネルをユーザに提供するのにかかる時間とのバランスをとる。例えば、１つの実施形態では、限られた数のチャネルを非常に短時間で提供する一方で、フル走査の実行完了後には、より包括的なチャネルリストを提供することができる。
【００３９】
図３は、本発明の実施形態のプラットフォームとして機能できる例示的なコンピュータ制御テレビ３００の構成要素を示している。システム３００内には特定の構成要素を開示しているが、このような構成要素は一例である。すなわち、本発明の実施形態は、他の様々な構成要素又はシステム３００内に示す構成要素の変形を有するのに非常に適している。例示的なテレビ３００は、図１〜図２に示すようなテレビチャネルを走査するためのプロセスを実施することができ、情報を処理するためのプロセッサ３０３、並びにテレビ３００をチャネル及びこのチャネルに関連する信号を検出するように同調させるためのチューナ３１４を含む。なお、チューナ３１４は、検出したチャネル信号を、プロセッサ３０３が処理するのに適した好適な形に変換することもできる。
【００４０】
例示的なテレビ３００は、情報及びプロセッサ３０３が実行すべき命令を記憶するための、ランダムアクセスメモリ（ＲＡＭ）又はその他の動的記憶装置などのメインメモリ３０５も含む。メインメモリ３０５を使用して、プロセッサ３０３が実行すべき命令の実行中に一時的変数又はその他の中間情報を記憶することもできる。例示的なテレビ３００は、静的情報及びプロセッサ３０３のための命令を記憶するための読み出し専用メモリ（ＲＯＭ）３０７又はその他の静的記憶装置をさらに含む。情報及び命令を記憶するために、磁気ディスク又は光ディスクなどの不揮発性記憶装置３０９を提供し、これに永続的内部キューを記憶することができる。１つの実施形態によれば、（ＲＡＭ、ＲＯＭ、不揮発性記憶装置などの）メモリ要素のいずれか１つに、仮想装置を実現するための命令を記憶することができる。例示的なテレビ３００は、コンピュータユーザに情報を表示するための、ブラウン管（ＣＲＴ）などの表示画面３１１を備えることができる。
【００４１】
本明細書で使用する「コンピュータ可読媒体」という用語は、実行のための命令をプロセッサ３０３に提供することに関与するあらゆる媒体を意味する。このような媒体は、以下に限定されるわけではないが、不揮発性媒体、揮発性媒体、及び伝送媒体などの多くの形をとることができる。不揮発性媒体は、例えば、記憶装置３０９などの光ディスク又は磁気ディスクを含む。揮発性媒体は、メインメモリ３０５などの動的メモリを含む。伝送媒体は、配線を含む同軸ケーブル、銅線及び光ファイバを含む。伝送媒体は、電波通信及び赤外線データ通信中に発生するような音波又は光波の形をとることもできる。
【００４２】
コンピュータ可読媒体の一般的な形としては、例えば、フロッピーディスク、フレキシブルディスク、ハードディスク、磁気テープ、又はその他のあらゆる磁気媒体、ＣＤ−ＲＯＭ、その他のあらゆる光媒体、パンチカード、紙テープ、孔パターンを有するその他のあらゆる物理媒体、ＲＡＭ、ＰＲＯＭ、及びＥＰＲＯＭ、ＦＬＡＳＨ−ＥＰＲＯＭ、その他のあらゆるメモリチップ又はカートリッジ、以下で説明する搬送波、或いはコンピュータ又はテレビが読み取ることができるその他のあらゆる媒体が挙げられる。
【００４３】
例示的なテレビ３００は、電力検出器３１３を含むこともできる。電力検出器３１３を使用して、テレビがオン状態などのフルパワーモードにあるか、待機状態、停止状態などの低電力モードにあるかを判定することができる。テレビ３００は、クイック走査要素３１５をさらに含むことができる。クイック走査要素３１５は、最初の初期設定中にチャネルを走査することができる。クイック走査要素３１５の動作は、図１及び図２で説明したクイック走査のものと類似することができる。テレビ３００は、フル走査要素３１７をさらに含むことができる。フル走査要素３１７は、テレビが待機状態、停止状態などの低電力モードにあるときにチャネルを走査することができる。なお、フル走査要素３１７は、チャネルを走査することにより、クイック走査設定中に検出し損ねた可能性のあるチャネルを検出することができる。また、フル走査要素３１７は、図１で説明したフル走査と実質的に同様に動作することができる。
【００４４】
システム３００は、コンテンツ受信機３０２、表示コントローラ３０４、コマンド受信機３０８、オーディオコントローラ３１６、送信機３２０、ケーブル又は衛星接続３２２、インターネット接続３２４、及び無線アンテナ３２６をさらに含むことができる。
【００４５】
コンテンツ受信機３０２は、システム３００のためのコンテンツを受信する。受信機３０２は、以下に限定されるわけではないが、コンピュータ、コンピュータネットワーク、ポータブル装置、セットトップボックス、無線放送、ケーブル放送、衛星放送、デジタル多用途ディスク（ＤＶＤ）、ブルーレイディスク、デジタルビデオ放送−ハンドヘルド機器（ＤＶＢ−Ｈ）、デジタルマルチメディア放送（ＤＭＢ）、ハンドヘルド機器へのデジタルビデオ放送衛星サービス（ＤＶＢ−ＳＨ）、デジタルオーディオ放送（ＤＡＢ）、デジタルビデオ放送ＩＰデータ放送（ＤＶＢ−ＩＰＤＣ）、インターネットプロトコルテレビ（ＩＰＴＶ）などの様々な供給源からのコンテンツを含む信号を受信することができる。コンテンツ受信機３０２は、（８０２．１１  ａ／ｂ／ｇ／ｎ、Ｂｌｕｅｔｏｏｔｈ、Ｚ  ｗａｖｅ、デジタル放送などを介して）ケーブル又は衛星接続３２２、インターネット接続３２４、及び無線アンテナ３２６を介して（電子番組ガイド情報及びその他のコンテンツなどの）コンテンツを受信することができる。
【００４６】
表示コントローラ３０４は、システム３００の表示画面３１１を制御する。表示コントローラ３０４は、以下に限定されるわけではないが、ＣＲＴ、ＬＣＤ、プラズマディスプレイ、投影ベースのディスプレイ、及びデジタル光処理（ＤＬＰ）ディスプレイなどのシステム３００に関連する様々な表示画面を制御することができる。
【００４７】
コマンド受信機３０８はコマンドを受信する。コマンド受信機３０８は、以下に限定されるわけではないが、赤外線受信機及び無線周波数受信機などの様々な受信機を介してコマンドを受信することができる。コマンドは、リモコンを介して出されたものとすることができる。１つの実施形態では、コマンド受信機３０８が、赤外線（ＩＲ）受信機３１０及び無線周波数（ＲＦ）受信機３１２を含む。
【００４８】
プロセッサ３０３は、システム３００がコマンド受信機３０８を介して受信したコマンドを処理する。受信したコマンドは、システム３００によって処理され実行される。例えば、赤外線受信機３１０又は無線周波数受信機３１２を介して（音量の増大、チャネルの変更、アプリケーションの起動、ウェブブラウザの起動などの）制御コードを受信し、復号して、プロセッサ３０３へ送信することができる。
【００４９】
オーディオコントローラ３１６は、以下に限定されるわけではないが、２、２．１、３．１、５．１、６．１、７．１、及び８．１チャネルオーディオなどの様々な出力を含む、システム３００のためのオーディオ出力を制御する。オーディオコンテンツは、コンテンツ受信機３０２を介して受信することができる。なお、オーディオコントローラ３１６は、システム３００内に統合されたオーディオ装置に出力を行うことができる。
【００５０】
送信機３２０は、（リモコンなどの）制御装置へ信号を送信することができる。信号は、以下に限定されるわけではないが、確認応答、（リモコンにダウンロードするためなどの）ＥＰＧ暗号化情報、及び画面選択に基づく情報を含むことができる。
【００５１】
上述の明細書では、実施構成ごとに異なり得る数多くの特定の詳細を参照しながら本発明の実施形態について説明した。従って、本発明が何であるか、及び出願人が何を発明とするかを示す唯一の独占的なものは、本出願から発生する特定の形の請求項の組であり、この特定の形において以後のあらゆる補正を含むこのような請求項が発生する。従って、請求項に明確に列挙していない限定、要素、特性、特徴、利点、又は属性が、このような請求項を決して限定すべきではない。従って、本明細書及び図面は限定的な意味ではなく例示的な意味で捉えるべきである。
【符号の説明】
【００５２】
１００  コンピュータ実施方法
１１０  テレビをオンする
１１２  初回設定か？
１２０  テレビがフルパワーモードにあるときに、チャネルを設定するためのクイック走査設定手順を実行
１３０  クイック走査設定手順が完了したときに、検出したチャネルを使用できるように提供
１４０  テレビが低電力モードにあるときに、フル走査設定手順を実行
１４２  新たなチャネルを発見したか？
１５０  テレビがフルパワーモードにあるときに、新たなチャネルが検出されたことをユーザに指示
１６０  テレビがフルパワーモードにあるときに、テレビの使用を可能にする
１７０  テレビが低電力モードにあるときに、フル走査設定手順を定期的に実行
【図１】
0005474090.tif 000002
【図２】
0005474090.tif 000003
【図３】
0005474090.tif 000004